(57)【要約】  一対のシャッタ支持体（１０）のそれぞれは、第一固定軸（４１）によって側面板に軸支されている第一アーム（１１）と、第一アームの先端を下方に引張っている引張コイルバネ（３０）と、先端より第一固定軸側で第一ピン（５１）によって第一アームに取付けられており、長孔（１２ｈ）を有する第二アーム（１２）と、第一ピンと第一固定軸との間で第二ピン（５２）によって第一アームに取付けられている第三アーム（１３）と、一端が第二ピンから離れた位置で第三ピン（５３）によって第三アームに取付けられていると共に、他端が長孔内をスライド可能に第四ピン（５４）によって第二アームに取り付けられており、第三ピンと第四ピンとの間で第二固定軸（４２）によって側面板に軸支されている第四アーム（１４）とを備えており、シャッタ（２０）は一対の第二アーム間に架け渡されている。
2017109969.tif 000002
【特許請求の範囲】
【請求項１】
一対の側面板と、
一対の該側面板にそれぞれ取付けられている一対のシャッタ支持体と、
一対の該シャッタ支持体によって両側辺が支持されているシャッタとを具備し、
それぞれの前記シャッタ支持体は、
第一固定軸によって回動可能に前記側面板に軸支されている第一アームと、
前記第一固定軸から離れた位置で前記第一アームに上端が固定されており、下端が前記第一固定軸より下方で前記側面板に対して固定されている引張コイルバネと、
前記第一アームにおける前記引張コイルバネの固定位置と前記第一固定軸との間で、第一ピンによって回動可能に前記第一アームに取付けられており、長手方向に長孔が形成されている第二アームと、
前記第一ピンと前記第一固定軸との間で、第二ピンによって回動可能に前記第一アームに取付けられている第三アームと、
一端が、前記第二ピンから離れた位置で、第三ピンによって回動可能に前記第三アームに取付けられていると共に、他端が、第四ピンによって回動可能且つ前記長孔内をスライド可能に前記第二アームに取り付けられており、前記第三ピンと前記第四ピンとの間で、第二固定軸によって回動可能に前記側面板に軸支されている第四アームとを備えており、
前記シャッタは、一対の前記第二アーム間に架け渡されている
ことを特徴とするシャッタ開閉装置。
【請求項２】
前記シャッタの下端は、Ｕ字形に湾曲している
ことを特徴とする請求項１に記載のシャッタ開閉装置。
【発明の詳細な説明】
【技術分野】
【０００１】
本発明は、バーコンベアが貫通している壁面の開口において、搬送路の上方の空間を開閉するシャッタ開閉装置に関するものである。
【背景技術】
【０００２】
多くの養鶏施設では、卵を搬送するためにバーコンベアを使用している。このバーコンベアは、同一施設内の複数の区画、或いは、複数の施設を巡回するように配設されることがあり、その場合は施設の壁面に設けられた開口を貫通する。バーコンベアによって卵が搬送されていないとき、この開口は閉鎖されていることが望ましい。特に、建物の内外を隔てる壁面に設けられた開口の場合は、開口を介して埃などの異物や小動物が建物内に侵入するおそれがあるため、開口を閉鎖しておくことの必要性が高い。【０００３】
そこで、従来、壁面に設けられた開口において、ここを貫通するバーコンベアにおける搬送路の上方の空間を開閉するシャッタとして、壁面の開口を囲んでいる本体、本体に軸支されて上下に回動する上下変位部材、上下変位部材における側面板に軸支されて前後に回動するシャッタを備える「開閉シャッタ」が提案されている（特許文献１参照）。【０００４】
この特許文献１のシャッタは、前方に向かって開いた状態（水平位置）に、引張バネによって常に付勢されている。そして、閉鎖状態とするときは、シャッタにおける後方の面に下端が固定されて上方に向かって延びている索条を、上方に向かって引くことにより、引張バネの付勢に抗してシャッタを下流側に回動させ、更に上下変位部材を上方に変位させて、シャッタをバーコンベアより高い位置まで上昇させる。【０００５】
この状態で、索条を上方に向かって引きつつ、その力を小さくすると、上下変位部材を下方に向かって変位させつつシャッタは下降する。シャッタの下端がバーとバーとの間に挿入されると、搬送路の上方の空間が閉鎖される。【０００６】
一方、バーコンベアによる搬送を開始すると、下端がバーと干渉しているシャッタは、前進するバーに押されて索条を下方に引張りながら前方に回動する。バーの更なる前進に伴い、シャッタの下端がバーから離れると、引張バネの付勢によってシャッタは水平位置を取り、搬送路の上方の空間が開放する。【０００７】
しかしながら、上記の特許文献１の開閉シャッタは、索条を上方に引く力を小さくすることにより、上下変位部材を下方へ回動させてシャッタを下降させる。つまり、上下変位部材及びシャッタの自重によって、シャッタを下降させ、その下端をバーとバーとの間に挿入するものである。そのため、シャッタが、バーとバーとの間に丁度位置したタイミングで下降させないと、バーとバーとの間にシャッタを挿入することができず、閉鎖するためのタイミングの調整が難しいという問題があった。特に、バーコンベアの搬送路が傾斜している場合は、バーコンベアの搬送路が水平である場合に比べて、バーとバーとの間の水平距離が短いため、シャッタを下降させるタイミング調整が更に難しいという問題があった。
【先行技術文献】
【特許文献】
【０００８】
【特許文献１】登録実用新案第３０８８０９３号公報
【発明の概要】
【発明が解決しようとする課題】
【０００９】
そこで、本発明は、上記の実情を鑑み、バーコンベアにおける搬送路の上方の空間を、タイミング調整を要することなく、容易に閉鎖することができるシャッタ開閉装置の提供を、課題とするものである。
【課題を解決するための手段】
【００１０】
上記の課題を解決するため、本発明にかかるシャッタ開閉装置は、
「一対の側面板と、
一対の該側面板にそれぞれ取付けられている一対のシャッタ支持体と、
一対の該シャッタ支持体によって両側辺が支持されているシャッタとを具備し、
それぞれの前記シャッタ支持体は、
第一固定軸によって回動可能に前記側面板に軸支されている第一アームと、
前記第一固定軸から離れた位置で前記第一アームに上端が固定されており、下端が前記第一固定軸より下方で前記側面板に対して固定されている引張コイルバネと、
前記第一アームにおける前記引張コイルバネの固定位置と前記第一固定軸との間で、第一ピンによって回動可能に前記第一アームに取付けられており、長手方向に長孔が形成されている第二アームと、
前記第一ピンと前記第一固定軸との間で、第二ピンによって回動可能に前記第一アームに取付けられている第三アームと、
一端が、前記第二ピンから離れた位置で、第三ピンによって回動可能に前記第三アームに取付けられていると共に、他端が、第四ピンによって回動可能且つ前記長孔内をスライド可能に前記第二アームに取り付けられており、前記第三ピンと前記第四ピンとの間で、第二固定軸によって回動可能に前記側面板に軸支されている第四アームとを備えており、
前記シャッタは、一対の前記第二アーム間に架け渡されている」ものである。【００１１】
以下では、バーコンベアにおいて隣接している二本のバー間にシャッタの下端が挿入されている状態、すなわち、シャッタの下端がバーと干渉し搬送路の上方の空間がシャッタによって閉鎖されている状態を「閉状態」と称し、シャッタがバーから離れ、搬送路の上方の空間が解放されている状態を「開状態」と称する。【００１２】
本構成では、引張コイルバネは、シャッタが閉状態にある間は、シャッタをバーに押し付けて閉状態を安定的に維持させる一方、シャッタの下端がバーから離れると同時にシャッタを開状態に付勢する。具体的に説明すると、第一アームは、第一固定軸とは離れた位置で固定された引張コイルバネによって、下方に向かって引張られている。換言すると、引張コイルバネは、第一アームを第一固定軸周りに下方に回動する方向に付勢している。従って、第一ピンによって第一アームに取り付けられている第二アームに架け渡されているシャッタは、シャッタの下端がバーと干渉している閉状態では、第一アームの下方への回動を妨げる“つっかい棒”のように作用する。そのため、この状態では、シャッタは引張コイルバネによって上方からバーに押し付けられている状態にあり、閉状態が安定的に維持される。【００１３】
一方、開状態となる動作は次のようである。まず、バーコンベアによる搬送が開始されると、搬送路にあるバーは下流に向かって移動するため、シャッタの下端がバーに押されて前進する。これにより、シャッタが固定されている第二アームが第一ピン周りに上方に向かって回動する。このような第二アームの回動を許容するために、第四ピンは長孔内を第一ピンに近づく方向にスライドする。これに伴い、第四アームは第二固定軸周りに回動し、第二固定軸に対して第四ピンとは反対側にある第三ピンが下方に移動する。これにより、第三ピンによって第四アームに取り付けられている第三アームが下方に引かれ、これに伴い、第二ピンを介して第一アームが下方に引かれる。その結果、第一固定軸周りに第一アームが下方に回動する。【００１４】
これにより、引張コイルバネが圧縮され、引張コイルバネの付勢力は減少するが、上記のようにシャッタの下端がバーと干渉している間は、引張コイルバネによってシャッタがバーに押し付けられている状態が維持される。つまり、バーの移動に伴い、シャッタがバーコンベアの搬送路に対してある程度の角度範囲で傾いたとしても、シャッタの下端がバーと干渉する範囲内であれば閉状態が安定的に維持される。【００１５】
更に、バーが下流に向かって移動するのに伴い、シャッタの下端がバーから離れると、第一アームの第一固定軸周りの下方への回動を妨げる力がなくなり、第一アームが一気に下方に向かって回動する。これにより、第一アームに取付けられた第二ピンが下降するのに伴い第三アームが下降し、第三ピンを介して第四アームが第二固定軸周りに回動する。その結果、第二アームは、第四ピンを更に第一ピンに近づく方向に長孔に沿ってスライドさせながら、第一ピン周りに上方に回動する。従って、シャッタは第二アームと共に第一ピン周りに上方に向かって回動し、開状態となる。【００１６】
閉状態にする場合は、第一アームを第一固定軸周りに上方に回動させる。このような第一アームの回動に伴い、第二ピンが上昇して第三アームが引き上げられるため、第三ピンを介して、第四アームは第二固定軸周りに上記とは反対方向に回動する。これに伴い、第四ピンを長孔内で、第一ピンとは反対側の端部に向かってスライドさせながら、第二アーム及びシャッタが第一ピン周りに下方に回動する。これにより、シャッタが鉛直に近い状態となり、隣接するバー間にシャッタの下端が挿入されて閉状態となる。【００１７】
また、第一アームの上方への回動に伴い、引張コイルバネが引き延ばされるため、上記のように、引張コイルバネによって、第一アームは第一固定軸周りに下方に回動する方向に付勢され、シャッタはバーに押し付けられる。従って、シャッタを下方に回動させたタイミングが、シャッタの下端が隣接するバー間に丁度存在するタイミングと多少ずれていたとしても、引張コイルバネがシャッタをバーに押し付ける弾性力により、シャッタは自ずとバー間の空隙に挿入される。【００１８】
本発明にかかるシャッタ開閉装置は、上記の構成に加え、「前記シャッタの下端は、Ｕ字形に湾曲している」ものとすることができる。【００１９】
上記のように、本発明ではシャッタの下端がバーと干渉する範囲で、閉状態が安定的に維持される。そのため、シャッタが鉛直方向より多少傾いた角度でバー間に挿入されている状態では、その角度によってシャッタがバー間に挿入される深さが異なる。本構成では、シャッタの下端がＵ字形に湾曲しているため、シャッタがバー間に挿入される深さが異なっても、湾曲している部分のどこかでバーに当接する。これにより、閉状態とすることが可能なシャッタの角度の範囲が広いものとなり、より容易かつ確実に閉状態とすることができる。【００２０】
加えて、バーコンベアの搬送路が傾斜している場合、傾斜の角度によってバー間の水平距離が変化する。本構成では、シャッタの下端がＵ字形に湾曲していることにより、下端からの距離によってシャッタの幅が変化し、下端に向かうほど幅が減少する。従って、搬送路の傾斜角度の異なるバーコンベアに、広く本発明を適用することができる。
【発明の効果】
【００２１】
以上のように、本発明の効果として、バーコンベアにおける搬送路の上方の空間を、タイミング調整を要することなく、容易に閉鎖することができるシャッタ装置を、提供することができる。
【図面の簡単な説明】
【００２２】
【図１】本発明の一実施形態であるシャッタ開閉装置の開状態を示す斜視図である。
【図２】図１のシャッタ開閉装置の閉状態を示す斜視図である。
【図３】図１のシャッタ開閉装置におけるシャッタ支持体の側面図である。
【図４】図２の状態の断面図である。
【図５】図５（ａ）は、図４の状態よりバーが下流側に移動しているが閉状態にあるシャッタ開閉装置の断面図であり、図５（ｂ）は、図５（ａ）の状態より更にバーが下流側に移動しているが閉状態が維持されているシャッタ開閉装置の断面図である。
【図６】図６（ａ）は、シャッタが上方に回動する途中の状態を示す断面図であり、図６（ｂ）は開状態にあるシャッタ開閉装置の断面図である。
【図７】図１のシャッタ開閉装置を閉状態とすることができるバーの移動範囲を示す断面図である。
【発明を実施するための形態】
【００２３】
以下、本発明の一実施形態のシャッタ開閉装置１について、図１〜図７を用いて説明する。シャッタ開閉装置１は、壁９０の開口９１を貫通するバーコンベア８０において、搬送路８２の上方の空間９５を開閉する装置である。
【００２４】
バーコンベア８０は、それぞれ一対のスプロケット（図示を省略）に巻き掛けられて循環する一対の無端チェーン（図示を省略）と、一対の無端チェーン間に、一定の間隔で架け渡された多数のバー８１と、一対の無端チェーンの外側を被覆するサイドカバー８５とを備えている。多数のバー８１は、一対の無端チェーンが同一方向に同一速度で移動するのに伴って移動する。そして、循環するバーコンベア８０において、バー８１が下から上に周回するスプロケットから、バー８１が上から下に周回するスプロケットに向かう方向（図示、矢印Ａ方向）に移動する多数のバー８１によって、卵９９を載置して搬送する搬送路８２が形成されている。一方、逆方向（図示、矢印Ｂ方向）に移動する多数のバー８１によって、戻り路８３が形成されている。ここでは、搬送路８２が傾斜しているバーコンベア８０を例示しており、搬送路８２は下流に向かうにつれて下降している。なお、図１及び図２では、長いバーコンベア８０のうち、壁８０近傍の一部のみを図示している。また、以下では、特に断りなく「上流」または「下流」と称するとき、それぞれ搬送路８２における上流及び下流を指している。
【００２５】
シャッタ開閉装置１は、一対の側面板７１と、一対の側面板７１にそれぞれ取り付けられている一対のシャッタ支持体１０と、一対のシャッタ支持体１０によって両側辺が支持されているシャッタ２０とを具備している。
【００２６】
一対の側面板７１は、開口９１が設けられた壁９０の両面のうち、開口９１を貫通するバーコンベア８０の下流側を向いている壁面に、それぞれ直角に当接している。開口９１は、一対の側面板７１間に位置している。
【００２７】
一対のシャッタ支持体１０は同一の構成であり、それぞれ第一アーム１１と、第二アーム１２と、第三アーム１３と、第四アーム１４と、引張コイルバネ３０とを備えている。
【００２８】
第一アーム１１は、その一端側で、側面板７１における壁９０に近い位置に、第一固定軸４１によって回動可能に軸支されている。第一アーム１１の他端には、引張コイルバネ３０の上端が固定されている。引張コイルバネ３０の下端は、第一固定軸４１より下方において側面板７１から延出している基部７３の端部に固定されている。この基部７３は、搬送路８２よりやや高い位置で、下流に向かって側面板７１から延出している。第一アーム１１は、第一固定軸４１に軸支された位置から引張コイルバネ３０が固定された端部に向かう途中で、鈍角をなすように上方に屈曲している。
【００２９】
第一アーム１１の屈曲部分には、第二アーム１２の一端が、第一ピン５１によって回動可能に取り付けられている。第二アーム１２は直線状で、長手方向に沿って長孔１２ｈが形成されている。第三アーム１３は、第二アーム１２より短い直線状であり、一端が第二ピン５２によって回動可能に第一アーム１１に取付けられている。第二ピン５２は、第一固定軸４１と第一ピン５１との間に位置している。
【００３０】
第四アーム１４は、両端側が相反する方向に屈曲しているクランク状（逆Ｚ字状）であり、一端が第三ピン５３によって回動可能に第三アーム１３の他端に取付けられている。第四アーム１４の他端は、第四ピン５４によって回動可能に第二アーム１２に取付けられている。第四ピン５４は、第二アーム１２の長孔１２ｈを貫通するピン本体と、長孔１２ｈを通過しない頭部を有しており、長孔１２ｈに沿ってスライドする。そして、第四アーム１４は、第三ピン５３と第四ピン５４との間、具体的には、二つの屈曲部のうち第三ピン５３に近い屈曲部で、第二固定軸４２によって回動可能に側面板７１に軸支されている。そして、シャッタ２０は、一対の第二アーム１２間に架け渡されている。シャッタ２０は、平板状で、下端が断面Ｕ字形に湾曲している。
【００３１】
また、本実施形態では、一対の側面板７１の上端に天板７２が架け渡されている。天板７２の高さは、壁９０の開口９１の上縁以上の高さである。また、天板７２における下流側の端部は、シャッタ２０の上端側を被覆するように下方に屈曲している。
【００３２】
なお、一対の第一アーム１１は、引張コイルバネ３０が固定された側の端部が、連結アーム１６によって連結されている。また、一対の側面板７１のそれぞれには、天板７２より上方まで延びている支柱７５が固定されており、一対の支柱７５の上端には横架材７６が架け渡されている。横架材７６の略中央と一方の端部には、それぞれ滑車７８，７９が固定されている。そして、連結アーム１６の略中央に留め付けられたワイヤ１７が、横架材７６の略中央の滑車７８を経て、横架材７６の端部の滑車７９に巻き掛けられて下方に延びており、ワイヤ１７の先端には、ワイヤを引くときに握るグリップ１９が取付けられている。
【００３３】
また、壁９０に設けられた開口９１において、バーコンベア８０の搬送路８２と戻り路８３との間の空隙は、一対の側面板７１に固定された板材８７によって閉鎖されている。また、バーコンベア８０の戻り路８３と開口９１の下縁との間の空隙も、一対の側面板７１に固定された板材８８によって閉鎖されている。
【００３４】
上記のような構成により、第一アーム１１は、第一固定軸４１によって軸支されている端部とは反対側の端部が、引張コイルバネ３０によって基部７３に向かって、つまり下方に向かって常に引張られている。換言すれば、引張コイルバネ３０によって、第一アーム１１に対して第一固定軸４１周りに下方に回動させようとする力が作用している。そして、図４に示すように、バーコンベア８０において隣接している二本のバー８１間に、シャッタ２０の下端が挿入され、シャッタ２０の下端がバー８１と干渉している状態では、シャッタ２０の存在が、第一アーム１１の第一固定軸４１周りの下方への回動を妨げている。従って、シャッタ２０は、引張コイルバネ３０によって上方からバー８１に押し付けられている状態にある。つまり、シャッタ２０の下端がバー８１と干渉している状態では、引張コイルバネ３０の付勢によって、シャッタ２０が搬送路８２の上方の空間９５を閉鎖している閉状態が、安定的に維持される。
【００３５】
バーコンベア８０による搬送が開始されると、搬送路８２にあるバー８１は下流に向かって移動する（図示、矢印Ａ方向）。これにより、シャッタ２０の下端がバー８１に押されて前進し、図５（ａ）及び図５（ｂ）に示すように、シャッタ２０が固定されている第二アーム１２が第一ピン５１周りに上方に回動する（図示、時計回り）。
【００３６】
このような第二アーム１２の回動を許容するために、第四ピン５４は長孔１２ｈ内を第一ピン５１に近づく方向、すなわち上方向にスライドする。これに伴い、第四アーム１４は第二固定軸４２周りに回動し（図示、時計回り）、第二固定軸４２に対して第四ピン５４とは反対側にある第三ピン５３が下方に移動する。これにより、下端が第三ピン５３によって第四アーム１４に取付けられている第三アーム１３が下方に引かれる。これに伴い、第二ピン５２によって第三アーム１３の上端が取付けられている第一アーム１１が、下方に引かれる。その結果、第一固定軸４１周りに第一アーム１１が下方に回動する（図示、反時計回り）。これにより、引張コイルバネ３０が圧縮されるため、引張コイルバネ３０の付勢力はその分だけ減少するが、シャッタ２０の下端がバー８１と干渉している間は、引張コイルバネ３０はシャッタ２０を上方からバー８１に押し付けるように作用する。つまり、シャッタ２０が、バーコンベア８０の搬送路８２に対してある程度の角度範囲で傾いても、閉状態が維持される。
【００３７】
更に、バー８１が下流に向かって移動し、バー８１に押されてシャッタ２０の下端がバー８１から離れると、第一アーム１１の第一固定軸４１周りの下方への回動を妨げるものがなくなる。これにより、引張コイルバネ３０の付勢によって、第一アーム１１は一気に第一固定軸４１周りに下方に回動する。これにより、図６（ａ）及び図６（ｂ）に示すように、第一アーム１１に取付けられた第二ピン５２が下降するのに伴い、第三アーム１３が下降し、これに伴い第四アーム１４が第二固定軸４２周りに回動し（図示、時計回り）、第二アーム１２は第四ピン５４を更に第一ピン５１に近づく方向に長孔１２ｈに沿ってスライドさせながら、第一ピン５１回りに上方に回動する。従って、シャッタ２０は第二アーム１２と共に第一ピン５１周りに上方に回動し（図示、時計回り）、搬送路８２の上方の空間９５が開放された開状態となる。この開状態で、搬送路８２に卵９９を載置し、壁９０で隔てられた空間から空間へ、バーコンベア８０によって搬送することができる。
【００３８】
つまり、本実施形態の引張コイルバネ３０は、シャッタ２０がバー８１と干渉している間は、シャッタ２０をバー８１に押し付けるように付勢して閉状態を安定的に維持するが、バー８１の移動によりシャッタ２０がバー８１から離れると、シャッタ２０を開状態に付勢する。
【００３９】
なお、側面板７１には、第一固定軸４１周りに第一アーム１１が下方に回動する角度を制限するためのストッパ４６が設けられている。従って、図６（ｂ）に示すように、第一アーム１１がストッパ４６に当接している状態が、搬送路８２の上方の空間９５が最も大きく開放している状態である。
【００４０】
閉状態にする場合は、第一アーム１１を第一固定軸４１周りに上方に回動させる。本実施形態では、滑車７９から垂れ下がっているワイヤ１７を下方に引張る。これにより、滑車７８，７９を介して連結アーム１６が引き上げられるため、一対の第一アーム１１の先端を同時に引き上げることができ、容易に第一アーム１１を第一固定軸４１周りに上方に回動させることができる。なお、第一アーム１１の過度の回動を防止するために、側面板７１には、第一固定軸４１周りに第一アーム１１が上方に回動する角度を制限するためのストッパ４７が設けられている。
【００４１】
このような第一アーム１１の回動に伴い、第二ピン５２が上昇し、第三アーム１３が引き上げられるため、第三ピン５３を介して、第四アーム１４は第二固定軸４２周りに上記とは反対方向に回動する（図示、反時計回り）。これに伴い、第四ピン５４を長孔１２ｈ内で、第一ピン５１とは反対側の端部に向かってスライドさせながら、第二アーム１２及びシャッタ２０が第一ピン５１周りに下方に回動する。これにより、シャッタ２０が鉛直に近い状態となり、隣接するバー８１間にシャッタ２０の下端が挿入されて閉状態となる。また、第一アーム１１の上方への回動に伴い、引張コイルバネ３０が引き延ばされるため、引張コイルバネ３０が固定されている第一アーム１１の端部が、基部７３に向かって下方に引張られる。
【００４２】
これにより、第一アーム１１、第一ピン５１及び第二アーム１２を介して、引張コイルバネ３０からシャッタ２０をバー８１に上方から押し付ける力が働き、閉状態が安定的に維持される。また、シャッタ２０を下方に回動させたタイミングが、シャッタ２０の下端が隣接するバー８１間に丁度存在するタイミングと多少ずれていたとしても、引張コイルバネ３０がシャッタ２０をバー８１に押し付けている弾性力により、シャッタ２０は自ずとバー８１間の空隙に挿入される。なお、図４に示すように、第一アーム１１がストッパ４７に当接している状態が、引張コイルバネ３０が最も引き延ばされ、最も大きな付勢力が作用している状態である。
【００４３】
上述のように、シャッタ２０の下端がバー８１と干渉している間は、引張コイルバネ３０によってシャッタ２０は上方からバー８１に押し付けられる。本実施形態では、図７に示すように、隣接するバー８１間の距離の２倍以上の距離Ｌをバー８１が移動する間、シャッタ２０の下端がバー８１と干渉するように、シャッタ２０の長さが設定されている。従って、この距離Ｌ内で移動しているバー８１に対して、どのようなタイミングでシャッタ２０を下降させても、引張コイルバネ３０の付勢によってシャッタ２０をバー８１に押し付けて、その下端をバー８１間に挿入させ、閉状態とすることができる。すなわち、搬送路８２の上方の空間９５を閉鎖するタイミングを調整する必要なく、容易に閉状態とすることができる。
【００４４】
特に、シャッタ２０の下端はＵ字形に湾曲しているため、シャッタ２０の鉛直方向からの傾きによって、シャッタ２０がバー８１間に挿入される深さが異なっても、湾曲している部分のどこかでシャッタ２０がバー８１に当接する。これにより、搬送路８２の上方の空間９５を、シャッタ２０によって閉鎖することが可能なシャッタ２０の角度範囲がより広いものとなり、より容易かつ確実に閉状態とすることができる。
【００４５】
加えて、バーコンベア８０の搬送路８２が傾斜していると、その傾斜角度の相違によってバー８１間の水平距離が変化する。これに対し、本実施形態のシャッタ開閉装置１では、シャッタ２０の下端がＵ字形に湾曲しており、シャッタ２０の幅が下端に向かうほど減少している。従って、搬送路８２の傾斜角度の異なるバーコンベア８０に、広くシャッタ開閉装置１を適用することができる。
【００４６】
以上、本発明について好適な実施形態を挙げて説明したが、本発明は上記の実施形態に限定されるものではなく、本発明の要旨を逸脱しない範囲において、種々の改良及び設計の変更が可能である。
【００４７】
例えば、上記の実施形態では、一対の側面板７１の上端に天板７２が架け渡されている場合を例示したが、天板７２を設けることなく一対の側面板７１を天井に達する高さとし、シャッタ２０より上方において一対の側面板７１の下流側の端辺を板材で閉鎖してもよい。
【００４８】
また、第一アーム１１として、鈍角をなすように屈曲している形状を例示したが、直線状であってもよい。更に、第四アーム１４としてクランク状の形状を例示したが、第三ピン５３と第四ピン５４との間に第二固定軸４２が位置するものであれば、直線状やＶ字形状であってもよい。
【００４９】
更に、上記では、バーコンベア８０の搬送物が卵９９である場合を示したが、バー８１の上に載置して搬送できる物、例えば、バー８１の間隔よりも大きく、変形・流動しにくい物であればよい。
【図１】
2017109969.tif 000003
【図２】
2017109969.tif 000004
【図３】
2017109969.tif 000005
【図４】
2017109969.tif 000006
【図５】
2017109969.tif 000007
【図６】
2017109969.tif 000008
【図７】
2017109969.tif 000009
【国際調査報告】
2017109969.tif 000010
2017109969.tif 000011